(57)【要約】【課題】  走行時や旋回時に外装カバーが周囲の部材に接触するのを防止し、外装カバーを変形、破損から保護する。【解決手段】  外装カバー１８を構成する左後中カバー１９、左後上カバー２０、右中カバー２２、タンクカバー２３は、そのカバー半径ＲＣを左，右のサイドフレーム１３，１４のフレーム円弧状部半径ＲＦよりも径寸法ΔＲだけ小径にし、また、左スカートカバー２１は、径寸法ΔＲと同等の寸法をもって左サイドフレーム１３の張出部１３Ｄよりも内側に引込める構成としている。これにより、外装カバー１８は、左，右のサイドフレーム１３，１４よりも内側に引込めて配設することができるから、走行時や旋回時に周囲の壁面等に接触することがあっても、このときにはサイドフレーム１３，１４をガード部材として先に接触させ、外装カバー１８が壁面等に接触して変形、破損しないように保護する。【選択図】        図３
2005336828.tif 000002
【特許請求の範囲】
【請求項１】
自走可能な下部走行体と、該下部走行体上に旋回可能に設けられ前側に作業装置が取付けられる上部旋回体とからなり、該上部旋回体は、支持構造体をなす旋回フレームと、該旋回フレームの後部側に前記作業装置とバランスをとるために設けられた円弧状のカウンタウエイトと、前記旋回フレーム上に設けられ前記旋回フレームに搭載された内部機器を覆う外装カバーとを備えてなる旋回式建設機械において、
前記旋回フレームは、前側に前記作業装置が取付けられ後側に前記カウンタウエイトが取付けられるセンタフレームと、該センタフレームの左，右両側に設けられた左，右のサイドフレームとにより形成し、
前記左，右のサイドフレームのうち少なくとも後部側は、前記カウンタウエイトの外径により定められた旋回半径以下の半径をもって円弧状に湾曲して形成し、
前記外装カバーのうち少なくとも後部側は、前記左，右のサイドフレームに沿う円弧状をなして形成し、
かつこれら外装カバーの円弧状部の半径は、前記左，右のサイドフレームの円弧状部の半径よりも小径に形成したことを特徴とする旋回式建設機械。
【請求項２】
前記左，右のサイドフレームは、円弧状に湾曲して前，後方向に延びる左，右の曲げ枠部と、前記センタフレームの前部から該曲げ枠部の前端側に向けて左，右方向に延びる左，右の前枠部と、該前枠部の先端と前記曲げ枠部の前端とを接続する左，右のコーナ部とにより構成し、
前記左，右の曲げ枠部のうち少なくとも後部側は、前記旋回半径以下の半径をもって形成してなる請求項１に記載の旋回式建設機械。
【請求項３】
前記旋回フレームを構成する左サイドフレームの左前側の角隅位置は、オペレータが着座する運転席の前側に床板を配設するために前記旋回半径よりも外側に張出して形成し、
前記外装カバーの左前部分は前記左サイドフレームの張出部分よりも内側に引込める構成としてなる請求項１または２に記載の旋回式建設機械。
【請求項４】
前記外装カバーの左側部位は、前記左サイドフレームの前，後方向の中間部から後側の部位を前記旋回半径よりも小径に形成する構成としてなる請求項１，２または３に記載の旋回式建設機械。
【請求項５】
前記外装カバーの右側部位は、前記右サイドフレームの前，後方向のほぼ全長に亘る部位を前記旋回半径よりも小径に形成する構成としてなる請求項１，２，３または４に記載の旋回式建設機械。
【発明の詳細な説明】
【技術分野】
【０００１】
本発明は、例えば油圧ショベル等の旋回式建設機械に関し、特に、上部旋回体の旋回半径を小さくする構成とした旋回式建設機械に関する。
【背景技術】
【０００２】
一般に、旋回式建設機械としては、例えば油圧ショベル等が知られており、この油圧ショベルは、自走可能な下部走行体と、該下部走行体上に旋回可能に設けられた上部旋回体と、該上部旋回体の前側に俯仰動可能に設けられた作業装置とによって大略構成されている。
【０００３】
また、油圧ショベルには、例えば後方小旋回機と呼ばれる小型の油圧ショベル（以下、小旋回式油圧ショベルという）がある。この小旋回式油圧ショベルは、カウンタウエイトを旋回中心に近付けて配置することにより、上部旋回体を上側からみてほぼ円形状に形成し、旋回したときにほぼ車幅内に収まるように構成されている。
【０００４】
そして、小旋回式油圧ショベルの上部旋回体は、支持構造体をなす旋回フレームと、該旋回フレーム上に設けられたエンジンと、前記作業装置との重量バランスをとるために前記旋回フレームの後端部に設けられたカウンタウエイトと、前記旋回フレームに設けられ、前記エンジン、油圧ポンプ、タンク等の内部機器を覆う外装カバーと、該外装カバーの下側に位置して前記旋回フレームの周囲を覆う左，右のスカートカバーとを備えている。また、外装カバーとスカートカバーは、例えば薄い鋼板にプレス成形を施すことにより所望の形状に形成されている（例えば、特許文献１参照）。
【０００５】
【特許文献１】特開２０００−２９１０７１号公報
【発明の開示】
【発明が解決しようとする課題】
【０００６】
ところで、上述した従来技術による油圧ショベルでは、旋回中心からカウンタウエイトの外面までを旋回半径とし、この旋回半径に収まるようにスカートカバーを設けている。しかし、スカートカバーは、旋回フレーム外周側に該旋回フレームの周囲を覆うように設けている。
【０００７】
ここで、油圧ショベルが走行したり、上部旋回体を旋回させたときには、上部旋回体が周囲の壁面、支柱等の障害物に接触する虞がある。この場合には、旋回フレームの周囲を覆う状態で設けられたスカートカバーが壁面等に接触することになる。このようにスカートカバーが周囲の壁面等に接触すると、このスカートカバーは薄い鋼板等によって形成されているから、変形したり破損したりしてしまう。そして、壁面等との接触によってスカートカバー等が破損した場合には、該スカートカバーの修理や交換を行なわなくてはならず、無駄に作業量が増大するという問題がある。
【０００８】
本発明は上述した従来技術の問題に鑑みなされたもので、本発明の目的は、外装カバーが周囲の部材に接触するのを防止し、外装カバーの変形、破損等を防止できるようにした旋回式建設機械を提供することにある。
【課題を解決するための手段】
【０００９】
請求項１の発明による旋回式建設機械は、自走可能な下部走行体と、該下部走行体上に旋回可能に設けられ前側に作業装置が取付けられる上部旋回体とからなり、該上部旋回体は、支持構造体をなす旋回フレームと、該旋回フレームの後部側に前記作業装置とバランスをとるために設けられた円弧状のカウンタウエイトと、前記旋回フレーム上に設けられ前記旋回フレームに搭載された内部機器を覆う外装カバーとを備えている。
【００１０】
そして、上述した課題を解決するために、請求項１の発明が採用する構成の特徴は、前記旋回フレームは、前側に前記作業装置が取付けられ後側に前記カウンタウエイトが取付けられるセンタフレームと、該センタフレームの左，右両側に設けられた左，右のサイドフレームとにより形成し、前記左，右のサイドフレームのうち少なくとも後部側は、前記カウンタウエイトの外径により定められた旋回半径以下の半径をもって円弧状に湾曲して形成し、前記外装カバーのうち少なくとも後部側は、前記左，右のサイドフレームに沿う円弧状をなして形成し、かつこれら外装カバーの円弧状部の半径は、前記左，右のサイドフレームの円弧状部の半径よりも小径に形成したことにある。
【００１１】
請求項２の発明によると、前記左，右のサイドフレームは、円弧状に湾曲して前，後方向に延びる左，右の曲げ枠部と、前記センタフレームの前部から該曲げ枠部の前端側に向けて左，右方向に延びる左，右の前枠部と、該前枠部の先端と前記曲げ枠部の前端とを接続する左，右のコーナ部材とにより構成し、前記左，右の曲げ枠部のうち少なくとも後部側は、前記旋回半径以下の半径をもって形成したことにある。
【００１２】
請求項３の発明によると、前記旋回フレームを構成する左サイドフレームの左前側の角隅位置は、オペレータが着座する運転席の前側に床板を配設するために前記旋回半径よりも外側に張出して形成し、前記外装カバーの左前部分は前記左サイドフレームの張出部分よりも内側に引込める構成としたことにある。
【００１３】
請求項４の発明によると、前記外装カバーの左側部位は、前記左サイドフレームの前，後方向の中間部から後側の部位を前記旋回半径よりも小径に形成する構成としたことにある。
【００１４】
請求項５の発明によると、前記外装カバーの右側部位は、前記右サイドフレームの前，後方向のほぼ全長に亘る部位を前記旋回半径よりも小径に形成する構成としたことにある。
【発明の効果】
【００１５】
請求項１の発明によれば、外装カバーのうち少なくとも後部側に位置する円弧状部は、その半径を左，右のサイドフレームの円弧状部の半径よりも小径に形成しているから、外装カバーを左，右のサイドフレームの外周縁から内周側に引込んだ位置に配設することができる。これにより、例えば走行時や旋回動作時に、上部旋回体に搭乗したオペレータから見え難い該上部旋回体の後部側が周囲の壁面等に接触することがあっても、外装カバーよりも先に支持構造体の一部をなす高強度なサイドフレームを壁面等に接触させることができる。
【００１６】
この結果、例えば薄い鋼板から形成される外装カバーが変形したり、破損したりするのを左，右のサイドフレームによって防止できるから、外装カバーの修理作業、交換作業を省略することができ、また外装カバーの寿命を延ばすことができ、信頼性、耐久性等を向上することができる。
【００１７】
しかも、外装カバーよりも先にサイドフレームを壁面等に接触させるためには、外装カバーをサイドフレームよりも内周側に僅かに引込ませるだけでよいから、エンジン等の内部機器を収容するためのスペースを狭めることなく外装カバーの変形、破損等を防止することができる。
【００１８】
請求項２の発明によれば、左，右の曲げ枠部のうち少なくとも後部側に位置する円弧状部は、その内側に配設される外装カバーの円弧状部が変形したり、破損したりするのを防止することができる。
【００１９】
請求項３の発明によれば、左サイドフレームの左前側の角隅位置を旋回半径よりも外側に張出して形成しているから、運転席の前側に床板を設置するスペースを確保することができる。しかも、外装カバーの左前部分は、左サイドフレームの張出部分よりも内側に引込めているから、外装カバーの左前部分より先に左サイドフレームの張出部分を周囲の壁面等に接触させることができ、外装カバーの左前部分を左サイドフレームの張出部分によって保護することができる。
【００２０】
請求項４の発明によれば、上部旋回体に搭乗したオペレータは、左側では前，後方向の中間部から後側の部位が見え難い。しかし、外装カバーの左側で左サイドフレームの前，後方向の中間部から後側に位置する部位は、旋回半径よりも小径に形成しているから、この見え難い左後側の部位が変形、破損しないようにすることができる。
【００２１】
請求項５の発明によれば、上部旋回体に搭乗したオペレータは右側が見え難い。しかし、外装カバーの右側で右サイドフレームの前，後方向のほぼ全長に亘る部位は、旋回半径よりも小径に形成しているから、この見え難い右側の部位が変形、破損しないようにすることができる。
【発明を実施するための最良の形態】
【００２２】
以下、本発明の実施の形態に係る旋回式建設機械として小旋回式油圧ショベルを例に挙げ、図１ないし図７に従って詳細に説明する。
【００２３】
図１、図２において、１は建設機械としての油圧ショベルで、この油圧ショベル１は、クローラ式の下部走行体２と、該下部走行体２上に旋回装置３を用いて旋回可能に搭載された上部旋回体４と、該上部旋回体４の前部側に俯仰動可能に設けられた作業装置５とにより大略構成されている。
【００２４】
また、スイングポスト式の作業装置５は、例えばスイングポスト５Ａ、ブーム５Ｂ、アーム５Ｃおよびバケット５Ｄ等を備えている。そして、作業装置５のスイングポスト５Ａは、図３に示す連結ピン６等を用いて後述するセンタフレーム９のスイングブラケット９Ｄに対し左，右方向に揺動可能に取付けられている。
【００２５】
これにより、スイングポスト式の作業装置５は、連結ピン６を中心にして左，右方向に揺動されると共に、ブーム５Ｂおよびアーム５Ｃが上，下に俯仰動され、先端側のバケット５Ｄによって土砂等の掘削作業（側溝堀を含む）を行うものである。
【００２６】
一方、下部走行体２の前側には排土板７が上，下に回動可能に設けられている。そして、排土板７は、土砂等の排土作業、地均し作業等を行うときに用いられる。また、排土板７は、油圧ショベル１の姿勢を安定させるアウトリガとしても使用されるものである。
【００２７】
また、上部旋回体４は、図３に示すように、下部走行体２の車幅とほぼ等しい左，右方向の幅寸法を有し、かつ旋回中心Ｏを中心とした旋回半径ＲＳ内に収まるように、上方からみてほぼ円形状に形成されている。これにより、油圧ショベル１は、上部旋回体４が下部走行体２上で旋回中心Ｏを中心として旋回したときに、後述するカウンタウエイト１５の後面がほぼ下部走行体２の車幅内に収まる後方小旋回型の油圧ショベルとして構成されている。
【００２８】
なお、上述の旋回半径ＲＳは、旋回中心Ｏからカウンタウエイト１５の後面までの距離によって規定され、旋回半径ＲＳは、上部旋回体４の旋回時におけるカウンタウエイト１５の後面の軌跡を示している。この場合、旋回半径ＲＳは下部走行体２の車幅よりも僅かに大径となっている。即ち、この旋回半径ＲＳの突出量は、下部走行体２の車幅方向に対し、僅かな寸法（例えば、車幅方向の片側で１０〜３０ｍｍ程度）である。
【００２９】
そして、上部旋回体４は、後述の旋回フレーム８、カウンタウエイト１５、外装カバー１８、床板２５、運転席２６等を含んで構成されている。
【００３０】
８は上部旋回体４の支持構造体を構成する旋回フレームで、該旋回フレーム８は、図５、図６に示す如く、後述のセンタフレーム９、左サイドフレーム１３、右サイドフレーム１４等により大略構成されている。そして、旋回フレーム８の左サイドフレーム１３、右サイドフレーム１４は、図３、図６に示す如く、後述する旋回半径ＲＳよりも僅かに小さなフレーム円弧状部半径ＲＦで規定される仮想円内に収めるように円弧状に湾曲して形成されている。
【００３１】
９は旋回フレーム８の中央部分を構成するセンタフレームを示している。このセンタフレーム９は、前，後方向に延びた中央部が下部走行体２上に旋回装置３を介して旋回可能に取付けられる平板状の底板９Ａと、該底板９Ａの前側に位置して該底板９Ａ上に左，右に離間して立設された左前縦板９Ｂ，右前縦板９Ｃと、前記底板９Ａと各前縦板９Ｂ，９Ｃの前端部に取付けられたスイングブラケット９Ｄと、前記各前縦板９Ｂ，９Ｃの後端部を左，右方向に延びるように前記底板９Ａ上に立設された横板９Ｅと、該横板９Ｅの後側に位置して前記底板９Ａ上に左，右に離間して立設された左後縦板９Ｆ，右後縦板９Ｇと、前記底板９Ａの後部に設けられたウエイト取付部９Ｈとにより大略構成されている。
【００３２】
ここで、スイングブラケット９Ｄには、連結ピン６を介して作業装置５のスイングポスト５Ａが左，右に揺動可能に連結される。また、ウエイト取付部９Ｈには、後述のカウンタウエイト１５が図示しないボルト等を用いて着脱可能に取付けられる。
【００３３】
また、１０はセンタフレーム９を構成する横板９Ｅの下側に位置して底板９Ａから左側に延びて設けられた左側の張出ビームで、該張出ビーム１０は、後述する左サイドフレーム１３の左曲げ枠部１３Ａを支持するもので、その先端側が該左曲げ枠部１３Ａに固着されている。
【００３４】
１１は左側の張出ビーム１０の反対側に位置してセンタフレーム９の底板９Ａから右側に延びて設けられた右側の張出ビームで、該張出ビーム１１は、後述する右サイドフレーム１４の右曲げ枠部１４Ａを支持するもので、その先端側が該右曲げ枠部１４Ａに固着されている。
【００３５】
また、１２はセンタフレーム９の前側位置から左側に延びて設けられた台座板で、該台座板１２は、前縦板９Ｂ，９Ｃの上部に設けられ、後述する床板２５の前側部分を下側から支持するものである。
【００３６】
次に、１３は旋回フレーム８の一部を構成する左サイドフレームで、該左サイドフレーム１３は、張出ビーム１０等を介してセンタフレーム９（底板９Ａ）の左側に配設されている。そして、左サイドフレーム１３は、図３、図６に示すように、後側が後述のフレーム円弧状部半径ＲＦ内に収まるように該フレーム円弧状部半径ＲＦに沿って円弧状に湾曲した円弧状部１３Ａ1となっている。また、左サイドフレーム１３の前側は、フレーム円弧状部半径ＲＦの円弧から外れて後述する床板２５の左端に沿ってほぼ真直ぐ前方に延びる直線部１３Ａ2となった左曲げ枠部１３Ａと、センタフレーム９の前部から左方向に直線状に延びた左前枠部１３Ｂと、該左前枠部１３Ｂの先端（左端）と左曲げ枠部１３Ａの直線部１３Ａ2前端とを接続して設けられた左コーナ部材１３Ｃとして構成されている。
【００３７】
ここで、左サイドフレーム１３について述べると、後部側に形成される円弧状部１３Ａ1は、カウンタウエイト１５の後面で規定された旋回半径ＲＳが描く仮想円よりも僅かに小さな半径、即ち、フレーム円弧状部半径ＲＦが描く円弧内に収まるように、該円弧状部半径ＲＦをもって湾曲して形成されている。
【００３８】
また、左サイドフレーム１３は、左曲げ枠部１３Ａの直線部１３Ａ2をフレーム円弧状部半径ＲＦの円弧から外側に出してほぼ真直ぐ前方に延ばし、左前枠部１３Ｂの先端をフレーム円弧状部半径ＲＦの円弧から外して左側に延ばし、この位置で左コーナ部材１３Ｃによって両者を接続している。これにより、左サイドフレーム１３の左前側に位置する角隅部は、左曲げ枠部１３Ａの直線部１３Ａ2、左前枠部１３Ｂの先端側および左コーナ部材１３Ｃによりフレーム円弧状部半径ＲＦの仮想円から張出した三角形状の張出部１３Ｄを形成している。この張出部１３Ｄは、後述する運転席２６の前側に長方形状の床板２５を設置するためのスペースを確保するものである。
【００３９】
そして、左サイドフレーム１３の最も外周側となる左外周縁１３Ｅは、左曲げ枠部１３Ａの円弧状部１３Ａ1の位置でカウンタウエイト１５の左端部からフレーム円弧状部半径ＲＦの仮想円に沿って湾曲し、直線部１３Ａ2の位置でほぼ真直ぐに前側に延び、左コーナ部材１３Ｃの位置で右側にほぼ直角に屈曲し、左前枠部１３Ｂの位置でセンタフレーム９の前側部位に向けて右側に直線状に延びている。
【００４０】
ここで、左サイドフレーム１３は、例えば横断面が略三角形状またはＤ字状をした中空なパイプ部材を用いて形成されている。これにより、左サイドフレーム１３は、上部旋回体４を旋回動作させたときに周囲の壁面等の障害物に接触することがあっても、変形、破損等を生じない程度の十分な強度を有している。このように高強度に形成された左サイドフレーム１３は、その左外周縁１３Ｅが後述する外装カバー１８の左後中カバー１９、左後上カバー２０、左スカートカバー２１よりも外側に張出すことにより、該左後中カバー１９、左後上カバー２０、左スカートカバー２１を保護するガード部材として機能するものである。
【００４１】
一方、１４は旋回フレーム８の一部を構成する右サイドフレームで、該右サイドフレーム１４は、張出ビーム１１等を介してセンタフレーム９（底板９Ａ）の右側に配設されている。そして、右サイドフレーム１４は、フレーム円弧状部半径ＲＦの仮想円に沿って円弧状に湾曲して前，後方向に延びた右曲げ枠部１４Ａと、センタフレーム９の前部から右方向に直線状に延びた右前枠部１４Ｂと、該右前枠部１４Ｂの先端（右端）と右曲げ枠部１４Ａの前端とを接続して設けられた右コーナ部材１４Ｃとにより構成されている。
【００４２】
即ち、右サイドフレーム１４の最も外周側となる右外周縁１４Ｄは、右曲げ枠部１４Ａの位置でカウンタウエイト１５の左端部からフレーム円弧状部半径ＲＦの仮想円に沿って湾曲して前側に延び、右コーナ部材１４Ｃの位置で左側に屈曲し、右前枠部１４Ｂの位置でセンタフレーム９の前側部位に向けて左側に直線状に延びている。
【００４３】
ここで、右サイドフレーム１４について述べると、少なくとも後部側がフレーム円弧状部半径ＲＦが描く仮想円内に収まっている。なお、右サイドフレーム１４は、左サイドフレーム１３のように床板２５を設置する必要がないため、全体をフレーム円弧状部半径ＲＦ内に収める構成となっている。
【００４４】
また、右サイドフレーム１４は、左サイドフレーム１３とほぼ同様に、例えば横断面が略三角形状またはＤ字状をした中空なパイプ部材を用いて形成され、周囲の壁面等に接触した場合でも変形、破損等を生じない程度の十分な強度を有している。従って、右サイドフレーム１４も、後述する外装カバー１８の右中カバー２２、タンクカバー２３よりも外周側に張出すことにより、該右中カバー２２、タンクカバー２３を保護するガード部材として機能することができる。
【００４５】
１５は旋回フレーム８の後端部に設けられたカウンタウエイトで、該カウンタウエイト１５は、作業装置５との重量バランスをとるもので、例えば鋳造手段を用い重量物として製造されている。また、カウンタウエイト１５は、旋回中心Ｏを中心点として当該カウンタウエイト１５の後面により規定される旋回半径ＲＳとし、この旋回半径ＲＳによって描かれる仮想円とほぼ一致するように、左，右方向の中央部が後側に突出する円弧状に形成されている。さらに、カウンタウエイト１５は、上部旋回体４の後面を規定する高さ寸法をもって形成され、その中央部には前側に位置して旋回フレーム８上に搭載されたエンジンを点検するための点検口（いずれも図示せず）を有している。
【００４６】
また、１６はカウンタウエイト１５の一部を構成する左プロテクタで、該左プロテクタ１６は、カウンタウエイト１５の左下部から前側に延びて設けられた重量物として構成されている。また、左プロテクタ１６は、エンジンの左側に設けられた油圧ポンプ（図示せず）等の左後側を覆う後述する外装カバー１８の左後下カバーも兼ねている。さらに、左プロテクタ１６は、左，右のサイドフレーム１３，１４とほぼ同様に、フレーム円弧状部半径ＲＦの仮想円に沿って円弧状に湾曲しつつ、前側が傾斜した台形状に形成されている。
【００４７】
そして、左プロテクタ１６は、油圧ポンプの下側部分、該油圧ポンプに接続された配管類（図示せず）等の点検作業、メンテナンス作業を行なうときに、カウンタウエイト１５とは別個に取外すことができ、取外した状態では広い作業スペースを提供することができる。
【００４８】
一方、１７は左プロテクタ１６と共にカウンタウエイト１５の一部を構成する右プロテクタで、該右プロテクタ１７は、カウンタウエイト１５の右下部から前側に延びて設けられた重量物として構成されている。また、右プロテクタ１７は、エンジンの右側に配設された熱交換器（図示せず）等の右後側を覆う右後下カバーも兼ねており、熱交換器の下側部分等の点検作業等を行なうときにはカウンタウエイト１５とは別個に取外すこともできる。さらに、右プロテクタ１７は、フレーム円弧状部半径ＲＦに沿って円弧状に湾曲しつつ、前側が傾斜した台形状に形成されている。
【００４９】
１８は後述する運転席２６の後側から右側に亘って旋回フレーム８上に設けられた外装カバーで、該外装カバー１８は、カウンタウエイト１５と協働してエンジン、油圧ポンプ、熱交換器、作動油タンク、燃料タンク等を含む内部機器（いずれも図示せず）を覆うものである。そして、外装カバー１８は、上部旋回体４の左側に位置する後述の左後中カバー１９、左後上カバー２０、左スカートカバー２１と、右側に位置する右中カバー２２、タンクカバー２３と、後側に位置するエンジンカバー２４等とにより大略構成されている。
【００５０】
まず、上部旋回体４の左側に位置する左後中カバー１９、左後上カバー２０、左スカートカバー２１について説明する。これらの左後中カバー１９、左後上カバー２０、左スカートカバー２１は、カウンタウエイト１５の左端部から旋回フレーム８の左サイドフレーム１３にほぼ沿うように前側に延びて設けられている。
【００５１】
ここで、左後中カバー１９、左後上カバー２０、左スカートカバー２１は、図６、図７等に示すように、左サイドフレーム１３の左外周縁１３Ｅよりも後述の径寸法ΔＲまたはこれと同等の寸法だけ内側に引込んだ位置に、該左サイドフレーム１３に沿うように湾曲（屈曲）して配設されている。
【００５２】
１９は左プロテクタ１６の上側でカウンタウエイト１５の左端縁部分から前側に延びるように旋回フレーム８に取付けられた左後中カバーで、該左後中カバー１９は、例えば薄肉な鋼板にプレス加工を施すことにより製造されている。また、左後中カバー１９は、カウンタウエイト１５の上，下方向中間部から左プロテクタ１６に倣って下向きに傾斜し、前端部は後述の左スカートカバー２１に繋がっている。
【００５３】
そして、左後中カバー１９は、左サイドフレーム１３を構成する左曲げ枠部１３Ａの円弧状部１３Ａ1に沿う円弧状をなして形成され、後述の左後上カバー２０と共に外装カバー１８の左側の円弧状部を構成している。詳しくは、左後中カバー１９は、図６に示すように、左サイドフレーム１３の前，後方向の中間部を通る線ＯＡからカウンタウエイト１５の左端部近傍を通る線ＯＢとの角度αの範囲に配置され、左曲げ枠部１３Ａの円弧状部１３Ａ1の半径となるフレーム円弧状部半径ＲＦよりも径寸法ΔＲだけ小径なカバー半径ＲＣをもって円弧状に形成されている。
【００５４】
これにより、左後中カバー１９は、左サイドフレーム１３の左外周縁１３Ｅよりも径寸法ΔＲだけ内側に引込んで配設されている。なお、径寸法ΔＲは、例えば２〜２０ｍｍ程度、好ましくは５ｍｍ程度に小さく設定されており、径寸法ΔＲだけ外装カバー１８を内側にずらしてもエンジン等を収容するスペースに影響することはない。また、左後中カバー１９は、油圧ポンプ等の左側を覆うもので、油圧ポンプ等の点検作業、メンテナンス作業等を行なうときに取外すことができる。
【００５５】
２０は左後中カバー１９の上側に位置して旋回フレーム８に取付けられた左後上カバーで、該左後上カバー２０は、カウンタウエイト１５の左端上側位置から前側に向け斜め下側に延びて形成されている。また、左後上カバー２０は、左後中カバー１９と同様に、例えば薄肉な鋼板にプレス加工を施すことにより、角度αの範囲でカバー半径ＲＣをもった円弧状に湾曲している。そして、左後上カバー２０は、油圧ポンプの上側部分、配管類等の点検作業、メンテナンス作業等を行なうときに取外すことができる。
【００５６】
２１は旋回フレーム８の左前側に設けられた左スカートカバー（図１、図３中に図示）で、該左スカートカバー２１は、左サイドフレーム１３の張出部１３Ｄに対応する位置に設けられ、左後中カバー１９の前部に連続している。また、左スカートカバー２１は、左後中カバー１９と同様に、例えば薄肉な鋼板にプレス加工を施すことにより、ほぼＬ字状に屈曲した縦板として形成されている。
【００５７】
即ち、左スカートカバー２１は、左サイドフレーム１３を構成する左曲げ枠部１３Ａの前側部分に沿うようにほぼ真直ぐ前方に延びた縦板部２１Ａと、該縦板部２１Ａの前端から左前枠部１３Ｂに沿うように右側に屈曲して延びた横板部２１Ｂとにより構成されている。そして、左スカートカバー２１は、縦板部２１Ａが左サイドフレーム１３を構成する左曲げ枠部１３Ａの直線部１３Ａ2よりも前述した径寸法ΔＲとほぼ同じ寸法だけ右側（内側）にずらして配置され、横板部２１Ｂが左サイドフレーム１３の左前枠部１３Ｂよりも径寸法ΔＲとほぼ同じ寸法だけ後側（内側）にずらして配置されている。なお、左スカートカバー２１は、後述する右中カバー２２のように、左後中カバー１９と一体形成する構成としてもよい。
【００５８】
このように、左後中カバー１９、左後上カバー２０、左スカートカバー２１は、左サイドフレーム１３の左外周縁１３Ｅよりも径寸法ΔＲまたはこれと同等の寸法だけ内側に引込んだ位置に配設している。このため、例えば上部旋回体４を旋回動作させたときに該上部旋回体４が周囲の壁面等に接触するようなことがあっても、左サイドフレーム１３を先に接触させて左後中カバー１９、左後上カバー２０、左スカートカバー２１を保護することができる。
【００５９】
特に、左後側の左後中カバー１９、左後上カバー２０は、後述の運転席２６に着座したオペレータからは見え難く、走行時、作業時に注意を払うことができない。しかし、左後中カバー１９、左後上カバー２０のカバー半径ＲＣは、左サイドフレーム１３の曲げ枠部１３Ａを形成する円弧状部１３Ａ1のフレーム円弧状部半径ＲＦよりも径寸法ΔＲだけ小径に形成しているから、目視で確認できない位置にある左後中カバー１９、左後上カバー２０を変形、破損等から保護することができる。
【００６０】
次に、上部旋回体４の右側に位置する右中カバー２２、タンクカバー２３について説明する。これらの右中カバー２２、タンクカバー２３は、カウンタウエイト１５の右端部から旋回フレーム８の右サイドフレーム１４にほぼ沿うように前側に延びて設けられている。
【００６１】
ここで、右中カバー２２、タンクカバー２３は、左後中カバー１９、左後上カバー２０、左スカートカバー２１とほぼ同様に、右サイドフレーム１４の右外周縁１４Ｄよりも径寸法ΔＲまたはこれと同等の寸法だけ内周側に引込んだ位置に、該右サイドフレーム１４に沿うように湾曲（屈曲）して配設されている。
【００６２】
２２は右プロテクタ１７の上側でカウンタウエイト１５の右端縁部分から前側に延びるように旋回フレーム８に取付けられた右中カバーを示している。この右中カバー２２は、カウンタウエイト１５の上，下方向中間部から右プロテクタ１７に倣って下向きに傾斜した後、旋回フレーム８の周囲を覆うように前側に延びている。また、右中カバー２２は、左後中カバー１９等と同様に、例えば薄肉な鋼板にプレス加工を施すことにより形成されている。
【００６３】
また、右中カバー２２は、後側に位置してほぼＳ字状に屈曲した後カバー部２２Ａと、該後カバー部２２Ａから前側に延びた前カバー部となる右スカートカバー２２Ｂとにより一体的に構成されている。また、右スカートカバー２２Ｂは、右サイドフレーム１４を構成する右曲げ枠部１４Ａの前側部分に沿うように湾曲して前方に延びた縦板部２２Ｂ1と、該縦板部２２Ｂ1の前端部から右前枠部１４Ｂに沿うように左側に屈曲して延びた横板部２２Ｂ2とにより構成されている。
【００６４】
さらに、右中カバー２２は、右サイドフレーム１４の前，後方向のほぼ全長に亘る部位、即ち、図６に示すように右サイドフレーム１４の前角隅部を通る線ＯＣからカウンタウエイト１５の右端部近傍を通る線ＯＤとの角度βの範囲に配置され、右曲げ枠部１４Ａのフレーム円弧状部半径ＲＦよりも径寸法ΔＲだけ小径なカバー半径ＲＣをもって円弧状に形成されている。
【００６５】
そして、右中カバー２２は、熱交換器、作動油タンク、燃料タンク等の右側を覆うもので、熱交換器等の点検作業、メンテナンス作業等を行なうときに取外すことができる。また、右中カバー２２は、左後中カバー１９と左スカートカバー２１のように、後カバー部２２Ａと右スカートカバー２２Ｂとを別個に設ける構成としてもよい。
【００６６】
２３は上部旋回体４の右側に位置して旋回フレーム８上に設けられたタンクカバー（図２、図３中に図示）で、該タンクカバー２３は、熱交換器、作動油タンク、燃料タンク等を上側から覆う右上カバーとして形成されている。また、タンクカバー２３は、例えば前側を支点として後側を上，下させることにより開閉することができる。そして、タンクカバー２３は、鋼板を用いたプレス加工、樹脂成形等の加工手段により製造され、その右側面は右中カバー２２とほぼ同様に、角度βの範囲でフレーム円弧状部半径ＲＦよりも径寸法ΔＲだけ小径なカバー半径ＲＣまたはそれ以下の半径をもって円弧状に湾曲して形成されている。
【００６７】
このように、右中カバー２２、タンクカバー２３は、左後中カバー１９、左後上カバー２０、左スカートカバー２１とほぼ同様に、右サイドフレーム１４の右外周縁１４Ｄよりも径寸法ΔＲまたはこれと同等の寸法だけ内側に引込んだ位置に配設している。このため、旋回動作時等には、右サイドフレーム１４を周囲の壁面等に先に接触させることにより、オペレータから見難い位置にある右中カバー２２、タンクカバー２３を保護することができる。
【００６８】
また、２４はカウンタウエイト１５の外面側に設けられたエンジンカバーで、該エンジンカバー２４は、外装カバー１８の一部を構成するもので、カウンタウエイト１５に沿って円弧状に湾曲している。また、エンジンカバー２４は、例えばリンク機構（図示せず）を用いて上，下方向に移動させることにより、点検口を開，閉することができる。そして、エンジンカバー２４を開いたときには、点検口を開放してエンジン等の点検作業、メンテナンス作業を行なうことができる。
【００６９】
２５は左サイドフレーム１３の張出部１３Ｄに嵌るように旋回フレーム８上の左前側に設けられた床板（図１、図３中に図示）で、該床板２５は、例えば左，右方向に長尺な長方形状に形成されている。ここで、床板２５は、左サイドフレーム１３を構成する左曲げ枠部１３Ａの直線部１３Ａ2、左前枠部１３Ｂの先端側および左コーナ部材１３Ｃをフレーム円弧状部半径ＲＦの円弧から三角形状に張出した張出部１３Ｄとすることにより、この張出部１３Ｄによって左，右方向に広く設置することができ、オペレータに広い足元スペースを提供することができる。
【００７０】
２６は床板２５の後側に位置して旋回フレーム８の上側に配設された運転席（図１、図２等参照）で、該運転席２６は、油圧ショベル１を操縦するオペレータが着座するものである。また、運転席２６の左，右両側には、作業装置５、旋回装置３を操作する作業レバー２７，２７が配設されている。さらに、運転席２６の前側には、床板２５の前部に位置して下部走行体２を走行させる走行レバー・ペダル２８等が配設されている。
【００７１】
また、２９は上部旋回体４に設けられたキャノピで、該キャノピ２９は、運転席２６の上側を覆うもので、例えば前，後位置と左，右位置に合計４本の支柱を有する４柱キャノピとして形成されている。
【００７２】
本実施の形態による油圧ショベル１は上述の如き構成を有するもので、次に、油圧ショベル１が作業を行なうときの動作について説明する。
【００７３】
まず、オペレータは、運転席２６に着座して走行レバー・ペダル２８を操作することにより、下部走行体２のクローラを駆動して油圧ショベル１を前進または後退させることができる。
【００７４】
また、運転席２６に着座したオペレータは、左，右の作業レバー２７を操作することにより、作業装置５を俯仰動させて土砂の掘削作業等を行うことができる。さらに、作業装置５を下部走行体２の例えば左側に移動させて側溝掘り作業を行なうときには、作業装置５のスイングポスト５Ａを右側に揺動させると共に、上部旋回体４を作業装置５の揺動方向とは反対側となる左側に旋回させることにより、作業装置５を左側に平行移動させ、該作業装置５を用いて左側の側溝掘り作業を行なう。さらに、逆方向の操作を行うことにより、右側の側溝掘り作業を行なうこともできる。
【００７５】
ここで、小旋回式油圧ショベル１は、狭い作業現場で作業することが多いから、走行時、旋回動作時に上部旋回体４等が周囲の壁面等に接触する虞がある。この場合、上部旋回体４は、旋回フレーム８を形成する左サイドフレーム１３，右サイドフレーム１４の外周縁１３Ｅ，１４Ｄよりも外装カバー１８を径寸法ΔＲまたはこれと同等の寸法だけ内周側に引込めて配設しているから、外装カバー１８よりも先に各サイドフレーム１３，１４をガード部材として壁面等に接触させることができる。そして、各サイドフレーム１３，１４は、例えばパイプ材料を用いて高強度に形成しているから、薄肉な鋼板からなる外装カバー１８が壁面に接触して変形したり、破損したりするのを防止することができる。
【００７６】
かくして、本実施の形態によれば、外装カバー１８の左後中カバー１９、左後上カバー２０は、そのカバー半径ＲＣを左サイドフレーム１３の後部側のフレーム円弧状部半径ＲＦよりも径寸法ΔＲだけ小径にし、また、左スカートカバー２１は、径寸法ΔＲと同等の寸法をもって左サイドフレーム１３の前部側よりも内側に引込め、さらに、右中カバー２２、タンクカバー２３は、左後中カバー１９、左後上カバー２０と同様に、そのカバー半径ＲＣを右サイドフレーム１４のフレーム円弧状部半径ＲＦよりも径寸法ΔＲだけ小径に形成する構成としている。
【００７７】
これにより、外装カバー１８は、左，右のサイドフレーム１３，１４よりも径寸法ΔＲまたはこれと同等の寸法だけ内周側に引込めて配設することができる。このため、下部走行体２を走行させたり、上部旋回体４を旋回動作させたときに、周囲の壁面等の障害物に接触することがあっても、このときには旋回フレーム８の各サイドフレーム１３，１４がガード部材となって壁面等に接触し、外装カバー１８が壁面等に接触しないように保護することができる。
【００７８】
この結果、薄肉な鋼板からなる外装カバー１８が壁面に接触して変形したり、破損したりするのを防止することができるから、変形、破損した外装カバー１８の修理作業、交換作業を省略することができ、信頼性、耐久性等を向上することができる。
【００７９】
また、左，右のサイドフレーム１３，１４を外装カバー１８よりも先に壁面等に接触させるためには、外装カバー１８をサイドフレーム１３，１４よりも内周側に僅かに引込ませるだけでよい。従って、エンジン等の内部機器を収容するためのスペースを狭めることなく外装カバー１８の変形、破損を防止することができる。
【００８０】
一方、左サイドフレーム１３の前側部分に位置する左曲げ枠部１３Ａの直線部１３Ａ2、左前枠部１３Ｂの先端側および左コーナ部材１３Ｃをフレーム円弧状部半径ＲＦの円弧から三角形状に張出す張出部１３Ｄとして構成としている。これにより、運転席２６の前側に床板２５を設置するスペースを確保することができ、オペレータに広い足元スペースを提供することができる。
【００８１】
また、左前側に配置された左スカートカバー２１は、左サイドフレーム１３の張出部分となる左曲げ枠部１３Ａの直線部１３Ａ2、左前枠部１３Ｂよりも径寸法ΔＲとほぼ同じ寸法だけ旋回中心Ｏ側（内周側）にずらして設けている。これにより、フレーム円弧状部半径ＲＦから張出した左スカートカバー２１も左サイドフレーム１３により保護することができる。
【００８２】
さらに、運転席２６に着座したオペレータからは見難い位置にある左後中カバー１９、左後上カバー２０、右中カバー２２、タンクカバー２３は、左，右のサイドフレーム１３，１４のフレーム円弧状部半径ＲＦよりも径寸法ΔＲだけ小径なカバー半径ＲＣとして形成している。従って、目視によって注意を払うことができない左後中カバー１９、左後上カバー２０、右中カバー２２、タンクカバー２３を変形、破損等から保護することができる。
【００８３】
なお、実施の形態では、左，右のサイドフレーム１３，１４のフレーム円弧状部半径ＲＦは、カウンタウエイト１５の旋回半径ＲＳよりも小さく形成した場合を例に挙げて説明した。しかし、本発明はこれに限らず、例えば図８に示す変形例のように、カウンタウエイト１５′を旋回中心Ｏ側に引込めることにより、左，右のサイドフレーム１３，１４のフレーム円弧状部半径ＲＦとカウンタウエイト１５′の旋回半径ＲＳ′とを同じ径寸法に形成してもよい。この場合には、カウンタウエイト１５′の後面が描く仮想円は、フレーム円弧状部半径ＲＦによる仮想円と重なり、下部走行体２の車幅内に収めることができる。
【００８４】
また、実施の形態では、左サイドフレーム１３、右サイドフレーム１４は、横断面が略三角形状またはＤ字状をした中空なパイプ部材を用いて形成する場合を例に挙げて説明した。しかし、本発明はこれに限らず、例えば横断面が四角形、円形状の中空なパイプ部材またはコ字形状をしたフレーム部材等を用いる構成としてもよい。
【００８５】
また、実施の形態では、外装カバー１８の左後中カバー１９と左後上カバー２０とを別個に設けることにより、左後中カバー１９、左後上カバー２０を小型軽量にし、保守、点検時に容易に着脱できるようにした場合を例に挙げて説明した。しかし、本発明はこれに限らず、例えば左後中カバー１９と左後上カバー２０とを一体化して大型な１つの左後カバーとして形成してもよい。この場合には、左後カバーを取外すだけで広い範囲の保守、点検作業を行なうことができる。また、右中カバー２２を複数のカバーに分割する構成としてもよい。
【００８６】
また、実施の形態では、運転席２６の上側を覆う４柱式のキャノピ２９を備えた油圧ショベル１を例に挙げて説明した。しかし、本発明はこれに限るものではなく、例えば２柱、３柱、５柱式等の他のキャノピを備えた油圧ショベル、運転室を画成するキャブを備えた油圧ショベル等に適用してもよい。
【００８７】
さらに、実施の形態では、スイングポスト式の作業装置５が設けられた小旋回式油圧ショベル１を例に挙げて説明した。しかし、本発明はこれに限らず、例えばオフセットブーム式の作業装置が設けられた油圧ショベル、標準機と呼ばれる油圧ショベル等、種々の旋回式建設機械にも適用してもよいものである。
【図面の簡単な説明】
【００８８】
【図１】本発明の実施の形態に適用される油圧ショベルを示す正面図である。
【図２】本発明の実施の形態に適用される油圧ショベルを示す背面図である。
【図３】図１の油圧ショベルを上側から拡大して示す平面図である。
【図４】図１の油圧ショベルを右側から拡大して示す右側面図である。
【図５】旋回フレームを単体で示す平面図である。
【図６】旋回フレームにカウンタウエイトを取付けた状態で示す一部破断の平面図である。
【図７】左，右のサイドフレームと外装カバーとの位置関係を後側から示す要部拡大の右側面図である。
【図８】本発明の変形例によるカウンタウエイトを取付けた旋回フレームを示す一部破断の平面図である。
【符号の説明】
【００８９】
１  油圧ショベル（旋回式建設機械）
２  下部走行体
３  旋回装置
４  上部旋回体
５  作業装置
８  旋回フレーム
９  センタフレーム
１３  左サイドフレーム
１３Ａ  左曲げ枠部
１３Ａ1  円弧状部
１３Ａ2  直線部
１３Ｂ  左前枠部
１３Ｃ  左コーナ部材
１３Ｄ  張出部
１３Ｅ  左外周縁
１４  右サイドフレーム
１４Ａ  右曲げ枠部
１４Ｂ  右前枠部
１４Ｃ  右コーナ部材
１４Ｄ  右外周縁
１５，１５′  カウンタウエイト
１８  外装カバー
１９  左後中カバー（円弧状部）
２０  左後上カバー（円弧状部）
２１  左スカートカバー
２２  右中カバー（円弧状部）
２２Ａ  後カバー部
２２Ｂ  右スカートカバー
２３  タンクカバー（円弧状部）
２４  エンジンカバー
２５  床板
２６  運転席
Ｏ  旋回中心
ＲＳ，ＲＳ′  旋回半径
ＲＦ  フレーム円弧状部半径
ＲＣ  カバー半径
ΔＲ  径寸法
【図１】
2005336828.tif 000003
【図２】
2005336828.tif 000004
【図３】
2005336828.tif 000005
【図４】
2005336828.tif 000006
【図５】
2005336828.tif 000007
【図６】
2005336828.tif 000008
【図７】
2005336828.tif 000009
【図８】
2005336828.tif 000010